(57)【要約】【課題】媒体に記録した画像データを外部機器に送信する際、使い勝手の良い画像記録再生装置および送信方法を提供すること。【解決手段】ユーザの編集した送信すべき画像データの再生経路情報を記録媒体に記録しておく。送信時は、記録媒体から読み出した再生経路情報を選択し、これに従い画像データを再生し外部機器に送信する。再生経路情報には、送信日時や送信先などの送信イベント情報と、送信する画像データの信号形式に関する情報を含む。【選択図】  図３
2004357085.tif 000002
【特許請求の範囲】
【請求項１】
記録媒体に記録した情報を外部機器に送信可能な記録再生装置において、
記録媒体に情報を記録再生する記録再生回路と、
情報を外部機器に送信する送出回路と、
上記記録再生回路と上記送出回路の動作を制御する制御回路とを備え、
上記記録再生回路は、上記記録媒体に、送信すべき情報の再生経路情報を記録するとともに、上記記録媒体から上記再生経路情報に従い情報を再生し、
上記送出回路は、上記再生経路情報に従って情報を送信することを特徴とする記録再生装置。
【請求項２】
請求項１記載の記録再生装置において、
前記情報を外部機器に送信するために再生された情報を他の信号形式に変換する信号変換回路を有することを特徴とする記録再生装置。
【請求項３】
請求項１または２に記載の記録再生装置において、
前記再生経路情報には、当該情報の送信日時や送信先などの送信イベント情報と、送信する情報の信号形式に関する情報を含むことを特徴とする記録再生装置。
【請求項４】
請求項１ないし３のいずれかに記載の記録再生装置において、
前記再生経路情報を設定表示するための表示部を有し、
該表示部を用いてユーザにより指定された送信すべき情報から前記再生経路情報を作成し、
該表示部に表示された再生経路情報からユーザは送信すべき情報に対応した再生経路情報を選択し、
前記送出回路は、選択された再生経路情報に従って情報を送信することを特徴とする記録再生装置。
【請求項５】
請求項４に記載の記録再生装置において、
前記ユーザの指定した送信すべき情報を再生経路情報として前記記録媒体に記録するか否かのメッセージを前記表示部に表示し、
ユーザが再生経路情報として記録することを選択した場合には該再生経路情報を該記録媒体に記録し、
ユーザが再生経路情報として記録しないことを選択した場合には該再生経路情報を該記録媒体に記録しないことを特徴とする記録再生装置。
【請求項６】
請求項４に記載の記録再生装置において、
前記記録媒体から読み出した再生経路情報を前記表示部に表示し、
ユーザが再生経路情報を選択した場合、
ユーザが選択した再生経路情報に従って情報を送信するか否かのメッセージを表示し、
ユーザが送信することを選択した場合は、選択した再生経路情報に従った情報を記録媒体から再生して前記送出回路から送信し、
ユーザが送信しないことを選択した場合は、選択した再生経路情報に従った情報を記録媒体から再生するが前記送出回路から送信しないことを特徴とする記録再生装置。
【請求項７】
請求項１ないし６のいずれかに記載の記録再生装置において、
前記情報は画像データであることを特徴とする記録再生装置。
【請求項８】
記録媒体に記録された情報を外部機器に送信する送信装置において、
記録媒体から情報を再生する再生回路と、
再生された情報を外部機器に送信する送出回路と、
上記再生回路と上記送出回路の動作を制御する制御回路とを備え、
上記記録媒体には送信すべき情報の再生経路情報が記録されており、上記再生回路は上記記録媒体から上記再生経路情報に従い情報を再生し、
上記送出回路は上記再生経路情報に従って情報を送信することを特徴とする送信装置。
【請求項９】
請求項８に記載の送信装置において、
前記再生経路情報には、当該情報の送信日時や送信先などの送信イベント情報と、送信する情報の信号形式に関する情報を含むことを特徴とする送信装置。
【請求項１０】
請求項８または９に記載の送信装置において、
前記情報は画像データであることを特徴とする送信装置。
【請求項１１】
記録媒体に記録された情報を外部機器に送信する送信方法において、
上記記録媒体に、送信すべき情報の再生経路情報を記録するステップと、
上記記録媒体から上記再生経路情報に従い対応する情報を再生するステップと、
上記再生した情報を上記再生経路情報に従い上記外部機器へ送信するステップとを備えることを特徴とする送信方法。
【請求項１２】
請求項１１記載の送信方法において、
前記再生した情報を他の信号形式に変換して送信することを特徴とする送信方法。
【請求項１３】
請求項１１または１２に記載の送信方法において、
前記再生経路情報には、当該情報の送信日時や送信先などの送信イベント情報と、送信する情報の信号形式に関する情報を含むことを特徴とする送信方法。
【請求項１４】
請求項１１ないし１３のいずれかに記載の送信方法において、
前記再生経路情報を表示部にて設定表示するためのステップを有し、
該表示部を用いてユーザにより指定された送信すべき情報から前記再生経路情報を作成し、
該表示部に表示された再生経路情報からユーザは送信すべき情報に対応した再生経路情報を選択し、
前記選択された再生経路情報に従って対応する情報を送信することを特徴とする送信方法。
【請求項１５】
請求項１４に記載の送信方法において、
前記ユーザの指定した送信すべき情報を再生経路情報として前記記録媒体に記録するか否かのメッセージを前記表示部に表示し、
ユーザが再生経路情報として記録することを選択した場合には該再生経路情報を該記録媒体に記録し、
ユーザが再生経路情報として記録しないことを選択した場合には該再生経路情報を該記録媒体に記録しないことを特徴とする送信方法。
【請求項１６】
請求項１４に記載の送信方法において、
前記記録媒体から読み出した再生経路情報を前記表示部に表示し、
ユーザが再生経路情報を選択した場合、
ユーザが選択した再生経路情報に従って情報を送信するか否かのメッセージを表示し、
ユーザが送信することを選択した場合は、選択した再生経路情報に従った情報を記録媒体から再生して送信し、
ユーザが送信しないことを選択した場合は、選択した再生経路情報に従った情報を記録媒体から再生するが送信しないことを特徴とする送信方法。
【請求項１７】
記録媒体に記録された情報を外部機器に送信する送信方法において、
上記記録媒体には送信すべき情報の再生経路情報が記録されており、
上記記録媒体から上記再生経路情報に従い対応する情報を再生するステップと、
上記再生した情報を上記再生経路情報に従い上記外部機器へ送信するステップとを備えることを特徴とする送信方法。
【請求項１８】
請求項１１ないし１７のいずれかに記載の送信方法において、
前記情報は画像データであることを特徴とする送信方法。
【発明の詳細な説明】
【０００１】
【発明の属する技術分野】
本発明は、媒体に画像データなどの情報を記録し、これを外部機器に送信可能な記録再生装置、送信装置および送信方法に関する。
【０００２】
【従来の技術】
カメラで撮影した画像をディジタル圧縮データとして光ディスク媒体に記録再生する装置が製品化されている。そして、ＤＶＤ−ＲＡＭなどのランダムアクセス可能な記録媒体では、高速アクセス性能を生かして、記録した画像データを複数の再生経路で再生することができる。つまり、記録した画像の中からユーザが好みのものを選び、再生順序を定義したプレイリストと呼ぶ再生経路情報を記録し、これに従って再生を行うことができる（例えば、特許文献１参照）。
【０００３】
一方、通信路のワイドバンド化が進み、ユーザが撮影した画像データを通信路を介して外部装置へ送信する機能を付加した装置が提案されている。
【０００４】
【特許文献１】
特開２０００−３４８４６７号公報（図４）
【０００５】
【発明が解決しようとする課題】
従来技術は、再生順序を定義したプレイリストと呼ぶ再生経路情報を記録媒体に記録し、ユーザが設定した順序で画像の再生を行うものである。しかし、画像データを通信路に送信する際の使い勝手に関しては考慮されていなかった。すなわち、ランダムアクセス可能な記録媒体に記録した画像データを通信路に載せて送信しようとする場合、画像データのどの部分を送信するのかをユーザが指定できることが望ましい。また、後で送信条件を確認したり、再送信を行ったり、異なる宛先に同じ画像を送ったりする場合を考慮すると、送信した画像データの内容をそのまま保存しておけばよい。しかしながら、送信した画像データをそのまま記録保存する方法は、記録媒体の容量を大量に消費してしまうので効率が悪い。
【０００６】
本発明の目的は、上記課題を解決し、画像などの情報を送信する際に使い勝手の良い記録再生装置、送信装置および送信方法を提供することである。
【０００７】
【課題を解決するための手段】
上記課題を解決するため、本発明の記録再生装置は、記録媒体に画像データなどの情報を記録再生する記録再生回路と、情報を外部機器に送信する送出回路と、記録再生回路と送出回路の動作を制御する制御回路とを備える。記録再生回路は記録媒体に、送信すべき情報の再生経路情報を記録するとともに、記録媒体から再生経路情報に従い情報を再生し、送出回路は、再生経路情報に従って情報を送信する構成とした。
【０００８】
本発明の送信装置は、記録媒体から情報を再生する再生回路と、再生された情報を外部機器に送信する送出回路と、再生回路と送出回路の動作を制御する制御回路とを備える。記録媒体には送信すべき情報の再生経路情報が記録されており、再生回路は記録媒体から再生経路情報に従い情報を再生し、送出回路は再生経路情報に従って情報を送信する構成とした。
【０００９】
また本発明の送信方法は、記録媒体に、送信すべき情報の再生経路情報を記録するステップと、記録媒体から再生経路情報に従い対応する情報を再生するステップと、再生した情報を外部機器へ送信するステップとを備える。
【００１０】
ここで再生経路情報には、当該情報の送信日時や送信先などの送信イベント情報と、送信する情報の信号形式に関する情報を含む。
【００１１】
また、記録媒体から読み出した再生経路情報を表示部に表示し、ユーザが再生経路情報を選択した場合、ユーザが選択した再生経路情報に従って情報を送信するか否かのメッセージを表示する。ユーザが送信することを選択した場合は、選択した再生経路情報に従った情報を記録媒体から再生して送信し、ユーザが送信しないことを選択した場合は、選択した再生経路情報に従った画像データを記録媒体から再生するが送信を行わない。
【００１２】
【発明の実施の形態】
図１は、本発明による画像記録再生装置の一実施形態であり、ビデオカメラに適用した例を示す。図１では、ビデオカメラの外観と操作キーの配置の例を示したものである。光学レンズ２１で撮影した画像を、ファインダ２２に備えられた小型の液晶表示部２４で表示する。開閉形の液晶表示部２３は、例えば２〜４インチのＬＣＤパネル２５が設けられており、録画中の画像や、再生画像、後述する編集画面、プレイリスト一覧その他のメニュー画面等を表示する。ディスクナビゲーションキー２６は、撮影中画像の表示と編集画面、メニュー画面等のナビゲーション用画像の表示を切替えるための指示キーであり、押下するたびに画面が切り替わる。メニューキー２７は、プルダウンメニューの表示を指示するための指示キーであり、押下するたびに表示／非表示が切り替わる。方向指示手段キー２８は、画像のメニューから各種選択操作をするための指示キーであり、それぞれのボタンが４つの方向（上、下、左、右）を示している。決定キー３０は、選択したメニューやサムネイル等の確定をするためのキーである。キャンセルキー２９は、操作を戻したり、一連の操作を終了するためのキーである。
【００１３】
図２は、図１のビデオカメラの回路ブロック図を示したものである。
【００１４】
光学レンズから得られた被写体画像は、ＣＣＤセンサ等の撮像素子３０１により電気信号に変換されて信号処理回路３０５に入力され、Ｙ，Ｕ，Ｖ信号に変換される。操作キー３０２は、ビデオカメラの操作をするための入力手段であり、図１に示した各種の操作キーにより構成される。ＬＣＤ表示パネル２５は入力映像、再生画像やナビゲーション画面を写すものである。
【００１５】
記録の場合は、信号処理回路３０５は、Ｙ，Ｕ，Ｖ信号の画像データを約１／３０程度に圧縮し、音声データとマルチプレクスして、ＭＰＥＧ−２データストリームを生成する。このＭＰＥＧ−２データストリームは記録再生回路３０６に送られる。記録再生回路３０６は、ＭＰＥＧ−２データストリームをＤＶＤ規格に従ったデータ形式に処理し、訂正符号を付加して、ディジタル変調が行い光ディスク３０３に記録する。記録再生回路３０６には、ＤＶＤ光ディスク用のトラッキング、フォーカスおよびディスクのスピンドルサーボ回路とデータ書き込み読み出し時のエラー訂正用回路が集積化されている。
【００１６】
光ディスク３０３は、たとえばＤＶＤ−Ｒ、ＤＶＤ−ＲＡＭ等の記録媒体であり、直径が８ｃｍのディスクが代表的であるが、これ以外に、直径が１２ｃｍ、６ｃｍ等の任意ディスクを用いることができる。本実施形態では記録媒体として光ディスクについて説明を行うが、ハードディスクであっても良いし、大容量の固体メモリ等のディスク以外のランダムアクセス可能な記録媒体であっても良い。ネットワーク３０４は、本ビデオカメラと接続される外部の通信回線であり、無線あるいは有線接続によりビデオカメラ本体と接続される。
【００１７】
再生の場合は、光ディスク３０３からピット情報がディジタル変調された状態で読み取られ、記録再生回路３０６により、波形等化やサーボ信号が検出され、ＭＰＥＧ−２ストリームとして出力される。ＭＰＥＧ−２ストリームは、信号処理回路３０５によって伸張され、ＬＣＤ表示パネル２５に再生画像として表示される。同様に信号処理回路３０５からはＮＴＳＣビデオ信号が出力されるので、カメラに備えたビデオ出力端子から外部のＴＶにも表示可能となっている。
【００１８】
グラフィック回路３０８は、メニューやアイコンなどの文字図形情報を発生し、信号処理回路３０５が出力する表示画像に重畳して表示パネル２５に表示する。
【００１９】
システムコントロール回路３０９は、操作キー３０２を介して入力されるユーザの指示に従って所望のナビゲーション画面を構成するように、グラフィック回路３０８および信号処理回路３０５を制御する（ディスクナビゲーション機能）。システムコントロール回路３０９は、記録および再生動作における信号処理回路３０５および記録再生回路３０６の制御も行う。また、操作キー３０２を介して入力されたユーザの指示からＤＶＤ規格に従ったプレイリストデータを作成し、信号処理回路３０５および記録再生回路３０６を制御して、光ディスク３０３上のＤＶＤ規格に従ったプレイリストデータ格納領域に記録する（プレイリスト登録機能）。またシステムコントロール回路３０９は、信号処理回路３０５および記録再生回路３０６を制御して、光ディスク３０３上からプレイリストデータを取得し、グラフィック回路３０８を制御してプレイリスト情報を表示する。そして、操作キー３０２を介してユーザが選択したプレイリストに従った再生が行われるように、信号処理回路３０５および記録再生回路３０６を制御する（プレイリスト再生機能）。
【００２０】
本実施形態のビデオカメラは、外部ネットワーク３０４への送信機能を有している点に特徴がある。送信を行う場合には、信号処理回路３０５は記録再生回路３０６から送られてくる再生ＭＰＥＧ−２ストリームを、必要に応じ通信に適した信号形式に変換する。この場合は、エラー耐性やビットレートの点でＭＰＥＧ−４ストリームへ変換するのが適している。送出回路３０７は、ＭＰＥＧ−４ストリームをネットワーク３０４へ送出する。システムコントロール回路３０９は、操作キー３０２を介してユーザが指定した画像が再生され、変換され、送信されるように、信号処理回路３０５、記録再生回路３０６および送出回路３０７を制御する。
【００２１】
そして本実施形態のビデオカメラでは、外部ネットワーク３０４へ送信する際、送信する画像の送信手順、およびこれに付随する送信情報を記録媒体に「送信用プレイリスト＝再生経路情報」を作成して登録する。ユーザは作成したプレイリストに従って、または登録されたプレイリストから選択して、これに対応した画像データを送信するものである。これらの機能は、前記システムコントロール回路３０９が信号処理回路３０５、記録再生回路３０６および送出回路３０７等を制御することによって実現する。
【００２２】
図３は、本発明の画像記録再生装置を用いた画像送信時のフローチャートを示す。特にナビゲーション画面を用いた画像の送信および送信内容の登録手順を説明する。
【００２３】
まず、ユーザがメニューを選択するなどの操作により送信画像編集が指示されると、送信画像編集画面を表示し、この画面上でのユーザの編集操作を受け付ける（ステップ４１）。
【００２４】
ここで、ステップ４１について、図４の送信画像編集画面例を用いて詳細に説明する。記録サムネイル表示領域１は光ディスク３０３上に記録されている動画のシーン毎の代表画像（サムネイル）を表示する領域であり、サムネイル４、５、６、７がシーン毎のサムネイルである。各サムネイルは光ディスク３０３上のサムネイル専用記録領域から読み出すか、あるいはストリームを再生して代表画像を抜き出して縮小して生成する。操作案内表示領域３には操作キーの操作案内が示される。ユーザは方向指示手段キー２８を押下することにより、送信したいシーンのサムネイル上にカーソルを移動する。サムネイルの周りに示した太枠がカーソルであり、図４の例ではサムネイル４上にカーソルがある。所望のサムネイル上にカーソルを移動した後に決定キー３０を押下すると、送信サムネイル表示領域２にサムネイルがコピーされる。図４はサムネイル４を選んだ状態を示しており、サムネイル４がコピーされ、サムネイル８として表示されている。このようにして、順次選んだサムネイルが送信サムネイル表示領域２の右側に追加されていく。このようにして、送信する画像データの開始点と終了点、および送信するサムネイルを選択した後キャンセルキー２９を押下すると、ステップ４１を終了し、次のステップに進む。
【００２５】
図３に戻って続きを説明する。送信画像の編集が終了すると、編集情報をメモリに記憶する。具体的には、図４に示した送信画像編集画面上でユーザが選んだシーンとその順番である（ステップ４２）。
【００２６】
次に編集情報に従って光ディスク３０３からＭＰＥＧ−２ストリームを再生し、ＭＰＥＧ−４ストリームへ変換し、ネットワーク３０４へ送信する（ステップ４３）。
【００２７】
送信が完了すると、ユーザに対して送信画像をプレイリストに登録するか否かの確認を行う（ステップ４４）。
【００２８】
ここで、ステップ４４について、図５の登録確認画面例を用いて詳細に説明する。送信が完了すると、ダイアログボックス１０を表示し、その中でプレイリストに登録するか否かを尋ねるメッセージを表示する。ユーザは方向指示手段キー２８を押下してカーソルを移動することにより、「登録する」を示す回答ボックス１１か「登録しない」を示す回答ボックス１２を選ぶ。図５で太枠で示したのがカーソルであり、この例では「登録する」が選択されている。所望の回答を選択した後、決定キー３０を押下すると回答が確定され、次のステップに進む。
【００２９】
図３に戻って続きを説明する。回答が「登録しない」の場合には、ステップ４１に戻り、次の送信画像の編集を受け付ける。「登録する」の場合には、ステップ４２で記憶した編集情報からＤＶＤ規格に従ったプレイリストデータを作成する。また、この時、ステップ４３で送信した際の送信日時や送信先、また送信したストリームの信号形式などの送信イベントを識別する情報をプレイリストデータに付加する。これらは例えばタイトルやコメントなどの形で記述する（ステップ４５）。
【００３０】
次に作成したプレイリストデータを光ディスク３０３上のＤＶＤ規格に従ったプレイリストデータ格納領域に記録する（ステップ４６）。
【００３１】
ステップ４６が終了すると、ステップ４１に戻り、次の送信画像の編集を受け付ける。
【００３２】
以上図３に示した一連の手順により、送信の内容をプレイリスト形式にて保存するので、送信データをそのまま記録媒体に記録する方式に比較し、記録媒体の容量の消費を大幅に節約する。また、保存したプレイリストを利用することにより画像データを簡単に再生・送信できるようになる。
【００３３】
また、プレイリスト登録確認画面を表示してユーザに登録するか否かを選択させることで、不要なプレイリストを作成しないで済む。
【００３４】
また、送信イベントを識別する情報をプレイリストに付加して登録することで、後述するようなプレイリスト一覧表示のときに、そのプレイリストがどの送信イベントのものか、また送信条件についてユーザが判別しやすくなる。
【００３５】
次に図６は、本発明の画像記録再生装置を用いた画像送信時の他のフローチャートを示す。特に登録済みプレイリストを用いての送信手順を説明する。
【００３６】
まず、ユーザがメニューを選択するなどの操作によりプレイリスト選択が指示されると、プレイリスト一覧画面を表示し、ユーザはこの画面上でプレイリストの選択を行う（ステップ６１）。
【００３７】
ここで、ステップ６１について、図７のプレイリスト一覧画面の例を用いて詳細に説明する。プレイリスト一覧表７１は、登録されているプレイリストを一覧表示する領域である。図７の例では、プレイリスト７２、７３、７４が登録されており、それぞれのタイトルが示されている。表示するデータはＤＶＤ規格に従った光ディスク３０３上のプレイリストデータ格納領域から読み出す。また、図７の例では、プレイリスト７３、７４は図３に示した一連の手順により送信内容をプレイリストに登録した場合を示しており、送信日と送信先をプレイリストのタイトルとした場合を示している。また送信したストリームの信号形式も含めることができる。このように、どのプレイリストがどの送信のものか、またどの信号形式で送信したかが一目瞭然となる。ユーザは方向指示手段キー２８を押下することにより、所望のプレイリスト上にカーソルを移動させる。太枠がカーソルであり、図７の例ではプレイリスト７３上にカーソルがある。所望のプレイリスト上にカーソルを移動した後に決定キー３０を押下すると、プレイリストの選択を確定し、次のステップに進む。
【００３８】
図６に戻って続きを説明する。プレイリストが確定すると、ユーザに対して送信するか否かの確認を行う（ステップ６２）。
【００３９】
ここで、ステップ６２について、図８の送信確認画面例を用いて詳細に説明する。プレイリストを選択すると、ダイアログボックス８０を表示し、その中で送信するか否かを尋ねるメッセージを表示する。ユーザは方向指示手段キー２８を押下してカーソルを移動することにより、「送信する」を示す回答ボックス８１か「送信しない」を示す回答ボックス８２を選ぶ。図８で太枠で示したのがカーソルであり、この例では「送信する」が選択されている。所望の回答を選択した後、決定キー３０を押下すると回答が確定され、次のステップに進む。
【００４０】
図６に戻って続きを説明する。回答が「送信しない」の場合には、プレイリストに従って光ディスク３０３からＭＰＥＧ−２ストリームを再生し、表示する（ステップ６４）。そして再生が終了次第、ステップ６１に戻り、次のプレイリストの選択を受け付ける。
【００４１】
回答が「送信する」の場合には、プレイリストに従って光ディスク３０３からＭＰＥＧ−２ストリームを再生し、ＭＰＥＧ−４ストリームへ変換し、ネットワーク３０４へ送信する（ステップ６３）。
【００４２】
すなわち本実施形態では、プレイリストに従って画像を再生するだけの場合と、再生した画像データをプレイリストに従って送信する場合の２つのモードを有し、ユーザはこれらを選択できるところに特徴がある。
【００４３】
送信が完了すると、ユーザに対して送信内容をプレイリストに登録するか否かの確認を行う。詳細はステップ４４と同様である（ステップ６５）。
【００４４】
回答が「登録しない」の場合には、ステップ６１に戻り、次のプレイリストの選択を受け付ける。「登録する」の場合には、再生したプレイリストデータ中の送信イベントに関する部分をステップ６３で送信した際の情報に書き換えたものを新たなプレイリストデータとして作成する（ステップ６６）。
【００４５】
次に作成したプレイリストデータを光ディスク３０３上のＤＶＤ規格に従ったプレイリストデータ格納領域に記録する（ステップ６７）。
【００４６】
ステップ６７が終了すると、ステップ６１に戻り、次のプレイリストの選択を受け付ける。
【００４７】
以上図６に示した一連の手順によれば、予め作成しておいたプレイリストに従った画像データを簡単に送信することができ、特に以前に送信した画像と同じ画像を送信するときに好都合である。あるいは、以前に送信した画像の品質が劣化していたような場合、そのときの信号形式情報が保存されているので、画質優先の他の信号形式に変換して再度送信するなどの方策を採ることができる。
【００４８】
上記実施形態では、ビデオカメラから外部機器へ画像データを送信する場合について述べたが、本発明は画像データだけでなく、音声データ、文字データなど任意の情報を送信する場合についても適用できる。また、送信元となる装置はビデオカメラだけでなく、任意の記録再生装置および媒体から情報を再生して送信する送信装置にも適用できる。
【００４９】
【発明の効果】
本発明によれば、情報を送信する際に使い勝手の良い記録再生装置、送信装置および送信方法を提供することができる。
【図面の簡単な説明】
【図１】本発明による画像記録再生装置の一実施形態であり、ビデオカメラに適用した例を示す。
【図２】図１のビデオカメラの回路ブロック図を示したものである。
【図３】本発明の画像記録再生装置を用いた画像送信時のフローチャートを示す。
【図４】図３のステップ４１の送信画像編集画面の一例を示す図。
【図５】図３のステップ４４の登録確認画面の一例を示す図。
【図６】本発明の画像記録再生装置を用いた画像送信時の他のフローチャートを示す。
【図７】図６のステップ６１のプレイリスト一覧表示を示す図。
【図８】図６のステップ６２の送信確認画面の一例を示す図。
【符号の説明】
３０１・・・撮像素子、３０２・・・操作キー、３０３・・・光ディスク、３０４・・・ネットワーク、３０５・・・信号処理回路、３０６・・・記録再生回路、３０７・・・送出回路、３０８・・・グラフィック回路、３０９・・・システムコントロール回路、１・・・記録サムネイル表示領域、２・・・送信サムネイル表示領域、３・・・操作案内表示領域、７１・・・プレイリスト一覧表、７２，７３，７４・・・プレイリスト
【図１】
2004357085.tif 000003
【図２】
2004357085.tif 000004
【図３】
2004357085.tif 000005
【図４】
2004357085.tif 000006
【図５】
2004357085.tif 000007
【図６】
2004357085.tif 000008
【図７】
2004357085.tif 000009
【図８】
2004357085.tif 000010